(57)【要約】【課題】  柱脚基礎の配置の自由度や美観を損なうことなく、コンクリートの支圧破壊を防止すること。【解決手段】  柱脚基礎コンクリート１の下部に、柱脚基礎コンクリート１の上部１ａよりも幅の広い幅広部１ｂを形成し、アンカーボルト２の下端部を幅広部１ｂまで埋設すると共に、当該下端部にアンカーボルト２の引抜きに抵抗する定着板４ａを設ける。定着板４ａの配設位置を、定着板４ａを起点として上方に向かって円錐状に広がる応力の作用方向Ｄが、幅広部１ｂの側面のうち、アンカーボルト２に最も近接する側面を通過するように設定し、幅広部１ｂの大きさを定着板４ａの配設部位におけるコンクリート支圧破壊を抑制するように設定する。幅広部１ｂで定着部におけるコンクリート支圧破壊の抑制を負担することにより、柱脚基礎コンクリート上部１ａをスリム化することができ、柱脚基礎の配置の自由度や美観を損なうことなく、コンクリートの支圧破壊を防止することができる。【選択図】  図１
2005307701.tif 000002
【特許請求の範囲】
【請求項１】
柱脚基礎コンクリートの上面から上方に突出するアンカーボルトの上端部を、柱鉄骨の下端に設けたベースプレートに連結して前記柱鉄骨を支持する柱鉄骨の支持構造において、
前記柱脚基礎コンクリートの下部に、当該柱脚基礎コンクリートの上部よりも幅の広い幅広部を形成し、
前記アンカーボルトの下端部を前記幅広部まで埋設すると共に、当該下端部に前記アンカーボルトの引抜きに抵抗する定着板を設け、
前記定着板の配設位置が、
前記定着板を起点として上方に向かって円錐状に広がる応力の作用方向が、前記幅広部の側面のうち、前記アンカーボルトに最も近接する側面を通過するように設定され、
前記幅広部の大きさが、
前記定着板の配設部位におけるコンクリート支圧破壊を抑制するように設定されていることを特徴とする柱鉄骨の支持構造。
【請求項２】
前記幅広部の大きさが、
前記応力の作用方向と前記最も近接する側面との交点から前記アンカーボルトの軸心への垂線の長さを半径とする円の面積により規定される支承面積Ａ０と、前記定着板の面積により規定される支圧面積Ａ１と、前記幅広部のコンクリート圧縮強度σｂと、前記定着板に作用する設計支圧応力σｍと、が
σｍ≦σｂ√（Ａ０／Ａ１）
を満たすように設定されていることを特徴とする請求項１に記載の柱鉄骨の支持構造。
【請求項３】
前記応力の作用方向と前記最も近接する側面との交点を含む水平面に対して対称に前記交点を起点として生じる応力の作用方向が、前記柱脚コンクリートの前記上部の底面部分を通過するように前記柱脚コンクリートが設計されていることを特徴とする請求項１又は２に記載の柱鉄骨の支持構造。
【請求項４】
柱脚基礎コンクリートの上面から上方に突出するアンカーボルトの上端部を、柱鉄骨の下端に設けたベースプレートに連結して前記柱鉄骨を支持する柱鉄骨の支持構造の施工方法において、
前記柱脚基礎コンクリートの下部に、当該柱脚基礎コンクリートの上部よりも幅の広い幅広部を形成し、
前記アンカーボルトの下端部を前記幅広部まで埋設すると共に、当該下端部に前記アンカーボルトの引抜きに抵抗する定着板を設け、
前記定着板の配設位置を、
前記定着板を起点として上方に向かって円錐状に広がる応力の作用方向が、前記幅広部の側面のうち、前記アンカーボルトに最も近接する側面を通過するように設定し、
前記幅広部の大きさを、
前記定着板の配設部位におけるコンクリート支圧破壊を抑制するように設定することを特徴とする柱鉄骨の支持構造の施工方法。
【請求項５】
柱脚基礎コンクリートの上面から上方に突出する複数のアンカーボルトの各上端部を、柱鉄骨の下端に設けたベースプレートに連結して前記柱鉄骨を支持する柱鉄骨の支持構造において、
前記柱脚基礎コンクリートに埋め込まれると共に各々の前記アンカーボルトの各下端部に連結される鋼板フレームを備え、
前記鋼板フレームは、各々の前記アンカーボルトの各下端部が挿通する穴を有し、
前記アンカーボルトと前記鋼板フレームとは、前記鋼板フレームを挟む上下２つのナットを前記アンカーボルトに螺着することにより連結され、
少なくともいずれか一方の前記ナットが、前記アンカーボルトを前記柱脚基礎コンクリートに定着する定着板を一体に備えたナットであることを特徴とする柱鉄骨の支持構造。
【請求項６】
前記アンカーボルトがネジフシ鉄筋から構成されることを特徴とする請求項５に記載の柱鉄骨の支持構造。
【請求項７】
前記鋼板フレームと前記柱脚基礎コンクリートの上面との間に水平鉄筋を配筋したことを特徴とする請求項５又は６に記載の柱鉄骨の支持構造。
【請求項８】
前記鋼板フレームの下方において左右方向に延在する部分と前記鋼板フレームの側方において上方に立ち上がった部分とを有する鉄筋を配筋したことを特徴とする請求項５乃至７のいずれかに記載の柱鉄骨の支持構造。
【請求項９】
柱脚基礎コンクリートの上面から上方に突出するアンカーボルトの上端部を、柱鉄骨の下端に設けたベースプレートに連結して前記柱鉄骨を支持する柱鉄骨の支持構造において、
前記アンカーボルトがネジフシ鉄筋から構成され、
前記ベースプレートのアンカー穴から突出する前記ネジフシ鉄筋の上端部に鍔付きナットを螺着すると共に、前記ネジフシ鉄筋の上端部と前記鍔付きナットとの間の隙間に、当該隙間を埋める充填材を充填したことを特徴とする柱鉄骨の支持構造。
【発明の詳細な説明】
【技術分野】
【０００１】
本発明は、鉄骨柱、コンクリート鋼管柱若しくは鉄筋コンクリート鋼管柱といった、建造物の柱鉄骨をコンクリート基礎で支持するための技術に関するものである。
【背景技術】
【０００２】
一般に建造物の柱鉄骨は、その下端にベースプレートが取り付けられ、このベースプレートを柱脚基礎コンクリートに埋め込まれるアンカーボルトに固定することで柱脚基礎コンクリートに固定・支持され、その支持構造としては種々のものが提案されている（例えば、特許文献１乃至５）。
【０００３】
【特許文献１】特開２００１−２０２９６号公報
【特許文献２】特開２００１−２０７４６１号公報
【特許文献３】特開平１０−８５５５号公報
【特許文献４】特許第２５７００８５号公報
【特許文献５】特開２０００−１４４９０２号公報
【発明の開示】
【発明が解決しようとする課題】
【０００４】
ここで、地震等により柱鉄骨には横方向の荷重が作用するが、これによりアンカーボルトには引抜き力が加わることになる。そして、この引抜き力により、アンカーボルト下端の定着部を起点として上方に向かって円錐状に広がる応力が柱脚基礎コンクリートに作用する。このため、引抜き力が過剰に作用すると、柱脚基礎コンクリートにひび割れが生じ、コンクリートが円錐状に引抜かれて破壊する場合があり、コーン状破壊等と呼ばれている。
【０００５】
このようなコーン状破壊は、柱脚基礎コンクリートに対するアンカーボルトの埋め込み長さを長くすることや、ベースプレートから作用する圧縮力との釣り合い等により防止することができるが、このような対策を施してコーン状破壊に至らない場合であっても、アンカーボルト下端の定着部のコンクリートに支圧破壊を生じる場合があり、この支圧破壊が生じると、アンカーボルトの性能が十分に発揮できない。この支圧破壊を防止するためには、例えば、柱脚基礎コンクリートの断面積を大きくすることが挙げられる。しかし、断面積を大きくすると、柱脚基礎の配置の自由度が損なわれると共に、美観が損なわれる可能性がある。更に、多量のコンクリートが必要となる。
【０００６】
一方、アンカーボルトの定着位置には一定の精度が必要とされると共にアンカーボルトに大きな外力が作用した際、アンカーボルトの定着部が外方へはらむことを防止することも必要である。更に、柱鉄骨の支持構造を施工するにあたってはその施工性がよいことが望ましい。
【０００７】
従って、本発明の第１の目的は、柱脚基礎の配置の自由度や美観を損なうことなく、コンクリートの支圧破壊を防止することにある。
【０００８】
また、本発明の第２の目的は、アンカーボルトの定着位置の精度を簡易に向上することができると共に、アンカーボルトの定着部が外方へはらむことを防止することにある。
【０００９】
また、本発明の第３の目的は、柱鉄骨の支持構造を施工するにあたってその施工性を向上することにある。
【課題を解決するための手段】
【００１０】
第１の本発明によれば、柱脚基礎コンクリートの下部に、当該柱脚基礎コンクリートの上部よりも幅の広い幅広部が形成される。アンカーボルトの下端部は前記幅広部まで埋設され、当該下端部にアンカーボルトの引抜きに抵抗する定着板が設けられる。そして、前記定着板の配設位置が、前記定着板を起点として上方に向かって円錐状に広がる応力の作用方向が、前記幅広部の側面のうち、前記アンカーボルトに最も近接する側面を通過するように設定され、前記幅広部の大きさが、前記定着板の配設部位におけるコンクリート支圧破壊を抑制するように設定される。
【００１１】
本発明では、柱脚基礎コンクリートの下部に設けた幅広部で定着板の配設部位、つまり、定着部におけるコンクリート支圧破壊の抑制を負担することにより、柱脚基礎コンクリート上部をスリム化することができる。従って、柱脚基礎の配置の自由度や美観を損なうことなく、コンクリートの支圧破壊を防止することができる。更に、一般にアンカーボルトを柱脚基礎コンクリートの主筋として用いた場合、その定着部の支圧破壊が生じ易いところ、本発明では幅広部に定着部が形成され、支圧破壊が抑制されるのでアンカーボルトを柱脚基礎コンクリートの主筋として活用することが可能となり、より一層柱脚基礎コンクリート上部のスリム化を図れる。
【００１２】
定着部の支圧破壊を抑制する幅広部の大きさとしては、前記応力の作用方向と前記最も近接する側面との交点から前記アンカーボルトの軸心への垂線の長さを半径とする円の面積により規定される支承面積Ａ０と、前記定着板の面積により規定される支圧面積Ａ１と、前記幅広部のコンクリート圧縮強度σｂと、前記定着板に作用する設計支圧応力σｍと、が
σｍ≦σｂ√（Ａ０／Ａ１）
を満たすように幅広部の大きさが設定されていることが望ましい。
【００１３】
また、第１の本発明においては、前記応力の作用方向と前記最も近接する側面との交点を含む水平面に対して対称に前記交点を起点として生じる応力の作用方向が、前記柱脚コンクリートの前記上部の底面部分を通過するように前記柱脚コンクリートが設計されていることが望ましい。
【００１４】
第２の本発明によれば、柱脚基礎コンクリートに埋め込まれると共に各々のアンカーボルトの各下端部に連結される鋼板フレームが設けられる。この鋼板フレームは、各々の前記アンカーボルトの各下端部が挿通する穴を有する。前記アンカーボルトと前記鋼板フレームとは、前記鋼板フレームを挟む上下２つのナットを前記アンカーボルトに螺着することにより連結される。そして、下側の前記ナットが、前記アンカーボルトを前記柱脚基礎コンクリートに定着する定着板を一体に備える。
【００１５】
本発明では、アンカーボルトの下端部が鋼板フレームに連結されるので、施工時にアンカーボルトの下端部の位置決めが容易化する。また、鋼板フレームに規制されて、定着部を構成するアンカーボルト下端部の外方へのはらみ出しが防止でき、定着性能を向上できる。更に、鋼板フレームを挟む上下２つのナットのうち、少なくともいずれか一方のナットが定着板を一体に備えるので施工性を向上できると共に、当該定着板によりアンカーボルト定着のための支圧を取れるので、鋼板フレームの支圧に期待する必要はなく、鋼板フレームは薄いもので足りる。
【００１６】
第２の本発明においては、前記鋼板フレームと前記柱脚基礎コンクリートの上面との間に水平鉄筋を配筋することもできる。この構成によれば、定着板からの支圧力が作用する、鋼板フレーム上方においてコンクリートの割裂に対する強度が高まり、定着性能を向上することができる。
【００１７】
また、第２の本発明においては、前記鋼板フレームの下方において左右方向に延在する部分と前記鋼板フレームの側方において上方に立ち上がった部分とを有する鉄筋を配筋することもできる。この構成によれば、定着板からの支圧力が柱脚基礎コンクリートの下方に伝達され、定着性能を向上することができる。
【００１８】
第３の本発明によれば、アンカーボルトがネジフシ鉄筋から構成され、ベースプレートのアンカー穴から突出する前記ネジフシ鉄筋の上端部に鍔付きナットが螺着される。そして、前記ネジフシ鉄筋の上端部と前記鍔付きナットとの間の隙間に、当該隙間を埋める充填材が充填される。
【００１９】
アンカーボルトとしてネジフシ鉄筋を用いることでネジ切り鋼棒を用いる場合のような断面欠損がなく、十分な伸び能力を得られると共に柱脚基礎コンクリートとの付着性を高め、脚部回転剛性の高い柱脚構造となる。本発明では鍔付きナットを用いてアンカーボルトを締め付けるので別途の座金等が不要となり、施工性を向上できると共に部品点数を削減できる。また、ネジフシ鉄筋はネジ切り鋼棒の場合よりもナットの螺着のガタツキが大きいが、本発明では充填材により両者の隙間が埋められるのでより強固にナットを螺着できる。また、戻り止めの２重ナットが不要となり、螺着部分の必要ナット長を短くすることもできる。充填材としては、固化する液状の充填材が望ましく、例えば、グラウトモルタルが挙げられる。
【発明の効果】
【００２０】
以上述べた通り、第１の本発明によれば、柱脚基礎の配置の自由度や美観を損なうことなく、コンクリートの支圧破壊を防止することができる。また、第２の本発明によれば、アンカーボルトの定着位置の精度を簡易に向上することができると共に、アンカーボルトの定着部が外方へはらむことを防止することができる。更に、第３の本発明によれば、柱鉄骨の支持構造を施工するにあたってその施工性を向上することができる。
【発明を実施するための最良の形態】
【００２１】
以下、図面を参照して本発明の好適な実施の形態について説明する。図１（ａ）は本発明の一実施形態に係る柱鉄骨の支持構造Ａの構造図、（ｂ）は図１（ａ）の線ＸＸに沿う断面図である。支持構造Ａは、柱脚基礎コンクリート１に埋め込まれると共に柱脚基礎コンクリート１の上面から上方に突出する複数（本実施形態では８本）のアンカーボルト２が略垂直方向に設けられ、アンカーボルト２の上端部を柱鉄骨１００の下端に設けたベースプレート３に連結することで、柱脚基礎コンクリート１により柱鉄骨１００を支持する。ベースプレート３と柱脚基礎コンクリート１との間にはその空隙を埋めるモルタル６が施工されている。このモルタル６は高強度無収縮モルタルが望ましい。
【００２２】
本実施形態のアンカーボルト２はネジフシ鉄筋から構成されている。アンカーボルト２としてネジフシ鉄筋を採用することで、ネジ切り鋼棒を用いる場合のような断面欠損がなく、地震等の外力が柱鉄骨１００に作用し、アンカーボルト２に対して引張荷重が作用した場合に十分な伸び能力を得られる。また、ネジ状のフシの存在により柱脚基礎コンクリート１との付着性を高め、脚部回転剛性の高い柱脚構造とすることができる。
【００２３】
アンカーボルト２の上端部には鍔付きナット５が螺着されており、この鍔付きナット５によりアンカーボルト２が緊結されている。図２（ａ）は鍔付きナット５の螺着構造を示す図である。同図に示すように、ベースプレート３にはアンカー穴３ａが設けられており、このアンカー穴３ａを通過してアンカーボルト２の上端部がベースプレート３の上方へ突出しており、ここに鍔付きナット５が螺着されている。鍔付きナット５は幅広の鍔部５ａが一体に成形されており、これが座金等の代わりをなす。このため、別途の座金等が不要となり、施工性を向上できると共に部品点数を削減できる。
【００２４】
ここで、一般にネジフシ鉄筋はネジ切り鋼棒の場合よりもネジの寸法がラフであるため、ナットのガタツキが大きい。そこで、本実施形態ではアンカーボルト２と鍔付きナット５との隙間８にグラウトモルタル７を充填材として充填し、この隙間を埋めている。グラウトモルタル７が固化するとアンカーボルト２と鍔付きナット５が構造的に一体化され、ガタツキが解消されると共に鍔付きナット５が強固に螺着する。このため、例えば従来一般的に用いられていた戻り止めの２重ナットが不要となる。更に、ナットが一つで足るのでアンカーボルト２上端部の螺着部分の必要ナット長を短くすることができる。なお、隙間８に充填される充填材としてはグラウトモルタル７に限られず、接着剤等も採用可能である。また、本実施形態では充填材であるグラウトモルタル７を鍔付きナット５の上方から注入して充填するようにしているが、注入の方法はこれに限られず、例えば、鍔付きナット５の中間部分に注入口となる孔を穿孔しておき、この孔から注入して充填するようにしてもよい。
【００２５】
次に、図１に戻り、本実施形態の柱脚基礎コンクリート１は、その下部に柱脚基礎コンクリート１の上部１ａよりも幅の広い幅広部１ｂが形成されている。アンカーボルト２の下端部はこの幅広部１ｂに埋設されており、その下端部には鍔付きナット４が螺着されている。この鍔付きナット４には幅広の鍔部４ａが一体に成形されており、この鍔部４ａがアンカーボルト２の引抜きに抵抗する定着板を構成している（以下、鍔部４ａを定着板４ａともいう）。定着板はナットとは別に構成してもよいが、両者を一体化することで部品点数の低減及び施工性の向上を図ることができる。
【００２６】
鍔付きナット４は、定着板４ａの配設位置が定着板４ａ（より正確には定着板４ａの周縁）を起点として上方に向かって円錐状に広がる応力の作用方向Ｄが、幅広部１ｂの側面のうち、アンカーボルト２に最も近接する側面を通過するように設定されている。作用方向Ｄは円錐状に広がる応力の方向を例示するものであり、この作用方向Ｄとアンカーボルト２の軸方向とのなす角度θは、概ね３０°〜４５°である。
【００２７】
本実施形態では、作用方向Ｄが、幅広部１ｂの側面のうち、アンカーボルト２に最も近接する側面を通過するように定着板４ａの位置を設定することで、定着板４ａにより構成される定着部におけるコンクリート支圧破壊の防止を幅広部１ｂで負担するようにし、柱脚基礎コンクリート１の上部１ａには影響しないようにしている。支圧破壊の抑制を幅広部１ｂで負担することにより、上部１ａは幅広とする必要がない。従って、上部１ａをスリム化することができ、よって支持構造Ａの美観や配置の自由度を向上することができる。
【００２８】
次に、定着部のコンクリート支圧破壊を抑制する幅広部１ｂの大きさの設定について説明する。定着部にアンカーボルト２からの引張力が作用すると定着板４ａからコンクリートに対して、上述した応力（支圧力）が作用する。この支圧力は、上述した通り、定着板４ａを起点として上方に向かって円錐状に広がるため、この支圧力を支承する幅広部１ｂの面積が大きい程支圧強度が大きくなる。そして、定着板４ａの直上部分の支圧強度が、当該直上部分の支圧力以上であれば定着部のコンクリート支圧破壊を防止できる。
【００２９】
幅広部１ｂに対する支圧力は、当該支圧力が上述した通り定着板４ａを起点として上方に向かって円錐状に広がり、作用方向Ｄと幅広部１ｂの側面のうち、アンカーボルト２に最も近接する側面との交点位置まで広がる。従って、幅広部１ｂの支承面は、図１（ａ）に示すように上記交点位置からアンカーボルト２の軸心への垂線の長さｒを半径としてアンカーボルト２の軸心を中心とした円形の支承面となる。図２（ｂ）は図１（ａ）の線ＹＹに沿う断面図である。線ＹＹは上記交点位置を通過する位置にあり、図２（ｂ）に示すように支承面は符号Ｓの破線で示される円形となる。
【００３０】
しかして、支承面Ｓの面積Ａ０（πｒ2）と、定着板４ａの支圧面の面積Ａ１（定着板４ａの上面の面積）と、幅広部１ｂのコンクリート圧縮強度σｂと、定着板４ａに作用する設計支圧応力σｍと、が
σｍ≦σｂ√（Ａ０／Ａ１）
を満たすように設定されていれば、定着部のコンクリート支圧破壊を防止することができる。これは、支圧強度が支承面Ｓと定着板４ａの支圧面の面積比の平方根に比例すると考えられるからである。このように設定すれば、円錐形をなす作用方向Ｄに沿ってひび割れを生じるとしても、その内側では圧縮力の伝達が可能であるからコンクリート支圧破壊は生じない。
【００３１】
このように本実施形態では定着部のコンクリート支圧破壊の抑制を幅広部１ｂで負担することにより柱脚基礎コンクリート１の上部１ａをスリム化することができ，柱脚基礎の配置の自由度や美観を損なうことなく、定着部のコンクリート支圧破壊を防止することができる。更に、一般にアンカーボルトを柱脚基礎コンクリートの主筋として用いた場合、その定着部の支圧破壊が生じ易いところ、本実施形態では幅広部１ｂに定着板４ａによる定着部が形成され、支圧破壊が抑制されるのでアンカーボルト２を柱脚基礎コンクリート１の主筋として活用することが可能となる。このため、別途主筋等が不要となり、その配筋の手間が省けると共に、配筋スペースが縮小されるのでより一層柱脚基礎コンクリート上部のスリム化を図れる。
【００３２】
なお、作用方向Ｄに沿う応力は、前記交点位置を含む水平面に対して対称に、前記交点位置を起点として図１（ａ）に示す作用方向Ｄ’の応力を生じさせる。そこで、この応力の作用方向Ｄ’が幅広部１ｂの上面（上部１ａが無い部分）を通過すると、支承面Ｓに生ずる応力を支持できないおそれがある。このため、図１（ａ）に示すように、作用方向Ｄ’が上部１ａの底面部分（図１（ａ）において破線１ａで示す）を通過するように、すなわち、作用方向Ｄ’が上部１ａと幅広部１ｂとの境界を通過するように、柱脚基礎コンクリート１を設計すれば、支承面Ｓに生ずる応力を柱脚基礎コンクリート１の上部１ａの下面に伝達することができ、当該応力を十分に支持することができる。
【００３３】
＜他の実施形態＞
上記実施形態では、アンカーボルト２を複数本（８本）設けたが、アンカーボルト２の数が増えると、施工時に定着板４ａの位置決めが難しくなる。定着板４ａの位置は、上述した支圧破壊の防止に影響を及ぼすためその位置決めは重要である。そこで、本実施形態では、アンカーボルト２の各下端部に鋼板フレームを連結することで位置決めを容易化する。図３（ａ）は本発明の他の実施形態に係る柱鉄骨の支持構造Ｂの構造図、図３（ｂ）は鋼板フレーム９とアンカーボルト２との取り付け説明図である。以下、支持構造Ａと異なる構成について説明すると、支持構造Ｂでは各アンカーボルト２の下端部が連結される鋼板フレーム９が設けられている。この鋼板フレーム９は、各々前記アンカーボルトの各下端部が挿通する穴９ａを有し、内側がくり抜かれた方形の枠板を為している。本実施形態の場合、アンカーボルト２が８本設けられているので穴９ａも８つ設けられている。また、この穴９ａはアンカーボルト２の下端部（つまり、定着板４ａの位置する定着部）が所定位置に位置するように配設されている。
【００３４】
アンカーボルト２と鋼板フレーム９とは、鋼板フレーム９を挟む上下２つのナット４、１２をアンカーボルト２の下端部に螺着することにより連結される。下側に位置するナット４は、定着板４ａを有する鍔付きナットである。従って、別途の定着板が不要となるので施工性を向上できると共に、定着板４ａによりアンカーボルト２の定着のための支圧を取れるので、鋼板フレーム９の支圧に期待する必要はなく、鋼板フレーム９は薄いもので足りる。なお、本実施形態では２つのナット４、１２のうち、下側のナット４について定着板４ａを有する鍔付きナットとしたが、上側のナットについて定着板を有する鍔付きナットとしてもよいし、上下双方のナットを定着板を有する鍔付きナットとしてもよく、少なくともいずれか一方が定着板を有する鍔付きナットであればよい。
【００３５】
しかして、本実施形態では、その施工にあたり、各アンカーボルト２の下端部を鋼板フレーム９に取り付けて柱脚基礎コンクリート１の打設型枠内の所定位置に設置すれば、定着板４ａの位置決めが完了する。従って、各アンカーボルト２を個別に位置決めする場合よりも格段に位置決めが容易化し、施工性が向上する。また、アンカーボルト２に荷重が作用しても、鋼板フレーム９に規制されて、定着部を構成するアンカーボルト２の下端部の外方へのはらみ出しが防止でき、定着性能を向上できる。なお、本実施形態では鋼板フレーム９を内側がくり抜かれた方形の枠板としたが、この形状に限られず、種々の形状を採用できる。また、図示しないが、鋼板フレーム９にはＺ金具等を固定して施工性を向上するようにしてもよい。
【００３６】
また、支持構造Ｂでは、鋼板フレーム９と柱脚基礎コンクリート１の上面との間に複数の水平鉄筋１１が配筋されている。このため、アンカーボルト２に引抜き力が作用することで定着板４ａからの支圧力が作用する、鋼板フレーム９上方においてコンクリートの割裂に対する強度が高まり、定着性能を向上することができる。更に、支持構造Ｂでは、鋼板フレーム９の下方において左右方向に延在する部分と鋼板フレーム９の側方において上方に立ち上がった部分とを有するＵ字型の鉄筋１０が配筋されている。本実施形態の場合、鉄筋１０はその中間部分が鋼板フレーム９の下を略水平に延在しており、両端部は定着板４ａからの支圧力によって生ずる引張力を分担できるように鋼板フレーム９よりも上方に定着長を確保して延在している。このＵ字型鉄筋１０を設けることにより、定着板４ａからの支圧力が鉄筋１０を介して幅広部１ｂの下方に伝達され、定着性能を向上することができる。
【００３７】
なお、支持構造Ｂでは鉄筋１０をＵ字型に形成したが、Ｕ字型以外にも種々の形状を採用できる。図４の支持構造Ｂ’ではＵ字型の鉄筋１０に代えて、鋼板フレーム９の下方において左右方向に延在する部分と鋼板フレーム９の側方において上方に立ち上がった部分とを有すると共に、その両端部が幅広部１ｂのコア部分（アンカーボルト２で囲まれた部分）に定着された鉄筋１０’を採用した例を示している。鉄筋１０’の両端部が幅広部１ｂのコア部分に定着されているので、定着板４ａからの支圧力が鉄筋１０’を介して幅広部１ｂの下方により一層伝達され、定着性能を更に向上することができる。なお、図示していないが、支持構造Ｂ及び支持構造Ｂ’においてはアンカーボルト２で囲まれた部分の外周を囲うようにフープ筋が配設されている。
【図面の簡単な説明】
【００３８】
【図１】（ａ）は本発明の一実施形態に係る柱鉄骨の支持構造Ａの構造図、（ｂ）は図１（ａ）の線ＸＸに沿う断面図である。
【図２】（ａ）は鍔付きナット５の螺着構造を示す図、（ｂ）は図１（ａ）の線ＹＹに沿う断面図である。
【図３】（ａ）は本発明の他の実施形態に係る柱鉄骨の支持構造Ｂの構造図、（ｂ）は鋼板フレーム９とアンカーボルト２との取り付け説明図である。
【図４】本発明の他の実施形態に係る柱鉄骨の支持構造Ｂ’の構造図である。
【符号の説明】
【００３９】
Ａ、Ｂ、Ｂ’  柱鉄骨の支持構造
１００  柱鉄骨
１  柱脚基礎コンクリート
１ａ  上部
１ｂ  幅広部
２  アンカーボルト
３  ベースプレート
４  鍔付きナット
４ａ  鍔部（定着板）
５  鍔付きナット
６  モルタル
７  グラウトモルタル
８  隙間
９  鋼板フレーム
１０、１０’  鉄筋
１１  水平鉄筋
１２  ナット
【図１】
2005307701.tif 000003
【図２】
2005307701.tif 000004
【図３】
2005307701.tif 000005
【図４】
2005307701.tif 000006